(57)【特許請求の範囲】
【請求項１】
切り花等を差し込むことができ、内部に水を溜めることができる有底状に形成された花器であって、
該花器は、古紙および／またはパルプの繊維をほぐし溶解したモウルド原液を成形型の表面に吸着させて、成形型の表面に水分７０％に対し３０％程度の濃度のモウルド中間体を積層させ、モウルド中間体を成形型より取り外して乾燥させることにより、花器内に入れられた水が繊維の隙間を通り表面側に移動し表面側から蒸発することができる通気性を有する構造に形成されている
ことを特徴とする花器。
【請求項２】
前記花器の厚みが２〜１０mmであることを特徴とする請求項１に記載の花器。
【請求項３】
前記古紙および／またはパルプに動物性，植物性等の異繊維を混入し、厚みが２〜１５mmとなるように形成したことを特徴とする請求項１に記載の花器。
【請求項４】
前記古紙および／またはパルプに防水，撥水効果のあるサイズ剤を３〜１５％混入し形成したことを特徴とする請求項１または請求項２または請求項３に記載の花器。
【請求項５】
前記古紙および／またはパルプに、抗菌剤および／または消臭剤を混入し形成したことを特徴とする請求項１または請求項２または請求項３または請求項４に記載の花器。
【発明の詳細な説明】
【技術分野】
【０００１】
本発明は、切り花等の寿命の延命が得られる花器に関するものである。
【背景技術】
【０００２】
従来、切り花の寿命の延命を図るために、例えば特許文献１に開示されているような花器が存在する。
【特許文献１】特開２００１−１２８５５４号公報
【発明の開示】
【発明が解決しようとする課題】
【０００３】
特許文献１に開示されているような花器は、蒸発槽を備えた複雑な構造となっており、高価であるという問題点があった。
【課題を解決するための手段】
【０００４】
本発明は上記従来の問題点に鑑み案出したものであって、安価に製造でき、良好に生け花等の寿命の延命を図ることができる花器を提供せんとするものであり、請求項１は、切り花等を差し込むことができ、内部に水を溜めることができる有底状に形成された花器であって、該花器は、古紙および／またはパルプの繊維をほぐし溶解したモウルド原液を成形型の表面に吸着させて、成形型の表面に水分７０％に対し３０％程度の濃度のモウルド中間体を積層させ、モウルド中間体を成形型より取り外して乾燥させることにより、花器内に入れられた水が繊維の隙間を通り表面側に移動し表面側から蒸発することができる通気性を有する構造に形成されていることである。
また、請求項２は、前記花器の厚みが２〜１０mmであることである。
また、請求項３は、前記古紙および／またはパルプに動物性，植物性等の異繊維を混入し、厚みが２〜１５mmとなるように形成したことである。
また、請求項４は、前記古紙および／またはパルプに防水，撥水効果のあるサイズ剤を３〜１５％混入し形成したことである。
また、請求項５は、前記古紙および／またはパルプに、抗菌剤および／または消臭剤を混入し形成したことである。
【発明の効果】
【０００５】
本発明の花器は、通気性が良いために、内部に溜めた水が表面側に移動して表面から蒸発しやすく、花器の表面から水が蒸発する時に気化熱を奪い、花器の内部の水の温度を下げることができ、これにより水温が低下して水中の細菌の繁殖が弱まり、切り花等の寿命の延命が得られるものとなり、特に、夏等に花持ちが良いものとなる。また、花器は古紙を用いて製造すれば、安価に形成することができ、使い捨てで使用することができるものとなる。
【０００６】
また、花器の厚みが２〜１０mmであることにより、内部に溜められた水が良好に表面側から蒸発してゆくことができ、しかも適度な厚みにより耐久性が確保されるものとなり、しかも、パルプモウルド製法による製造性が良好なものとなる。
【０００７】
また、古紙および／またはパルプに動物性，植物性等の異繊維を混入し、厚みが２〜１５mmとなるように形成したことにより、動物性，植物性等の異繊維により通気性が大となり、良好に内部に溜めた水を表面側から蒸発させることができ、しかも厚みを厚くして耐久性を高めることができるものとなる。
【０００８】
また、古紙および／またはパルプに防水，撥水効果のあるサイズ剤を３〜１５％混入し形成したことにより、混入したサイズ剤により防水，撥水効果が得られて、内部に溜めた水を長期間保持することができるものとなる。
【０００９】
また、古紙および／またはパルプに、抗菌剤および／または消臭剤を混入し形成したことにより、細菌の繁殖、カビ等の発生を抑えることができるものとなり、また、消臭剤を
入れた場合には、特に、夏等に花の腐った臭い等を良好に消臭することができるものとなる。
【実施例】
【００１０】
以下、本発明の実施例を図面に基づいて説明する。
図１は、花器の一部を破断して示す斜視構成図である。
この花器１は、上面側が開口して底部３を有する本体部２の上面に、外側へ突出して上面鍔部４が一体形成されたものであり、上方より上面の開口内に切り花等を差し込むことができ、内部には水を溜めることができるように形成されている。
【００１１】
この花器１は、古紙またはパルプを用いてパルプモウルド製法で形成されたものであり、パルプモウルド製法による製造時に、表面側に凹凸模様が自然に形成されるものである。
内側から表面側への通気性を高めるには、肉厚は薄いほうが良いが、２mm以下の厚みでは耐久性が悪く、また、逆に１０mm以上の厚みとすると通気性，生産性が悪くなり、良好な通気性と耐久性とを兼ね備え、しかも生産性が良好な厚みとして、肉厚が３〜６mmに設定されている。
【００１２】
なお、製造時に古紙またはパルプに異繊維を混入して製造することもでき、この場合、異繊維として、例えば、ウール等の動物性繊維、麻等の植物性繊維、その他、グラスウール，セラミック繊維を混入すると、通気性が増大するため、このような異繊維を古紙またはパルプに混入させて製造する場合には、花器１の肉厚は１０〜１５mm程度の厚みにすることができて、耐久性を高めることができるものとなり、長持ちする花器１となる。
【００１３】
なお、花器１内に溜める水を長期間保持するためには撥水性を良くする必要があり、撥水性を良くするために、古紙またはパルプに対し３〜１５％の原料比で１種類以上のサイズ剤を混入して製造する場合もある。
例えばサイズ剤を５〜１５％程度を入れると、撥水性が良好となり、長時間内部に水を保持させることができるものとなる。
【００１４】
なお、さらには、古紙またはパルプに抗菌剤あるいは消臭剤を入れて、水中の雑菌の繁殖を抑えたり、水等の嫌な臭いを消臭することができるものとなる。
古紙またはパルプに混入する抗菌剤，消臭剤としては、一般的な工業薬品としての抗菌剤，消臭剤の他に、例えば、パウダーあるいは繊維状等の化学材料とか、熊笹エキス等の自然消臭防菌材料とか、光触媒作用のある材料等がある。
【００１５】
このように花器１は、古紙またはパルプを主原料として、パルプモウルド製法により製造したものであるため、本体部２内に入れられた水は、通気性が良いために紙の繊維の隙間を通り表面側に移動し、表面側から良好に蒸発することができ、この蒸発時に周囲の気化熱を奪い、内部の水温を下げることができるものとなり、水温が下がることにより、水中の雑菌の繁殖を抑えて、切り花等を長持ちさせることができるものとなる。
【００１６】
例えば、お墓に切り花を立てるような場合、夏等においては花の傷みが早く、花が傷んで腐ったような場合に、くさい臭いが発生するが、このような花器１内に切り花を立てておけば、通常の金属製，ガラス製，陶磁器製，プラスチック製の花器に比べて、内部の水温が４℃程度低くなり、そのため切り花の傷みが少なく、長時間切り花の寿命を延命させることができるものとなる。
【００１７】
なお、花器１は古紙またはパルプを主原料としているため、花と一緒に処分しても、花と共に腐って、環境悪化になることはなく、廃棄処理が容易なものである。
従って、このような花器１はバルプモウルド製法により安価に製造できるため、使い捨てで使用することができるものとなる。
【００１８】
なお、図２に示す花器１は、本体部２の上部の上面鍔部４に、所定間隔で凹み状に溝部４ａを形成させたものである。
また、図３に示す花器は、さらに変形したものであり、溝部４ａを、上面鍔部４の内側から中心に向かって下傾状にして水落とし用の溝としたものであり、さらに、本体部２の表面に縦溝２Ｍを凹み状に複数形成させたものである。
この縦溝２Ｍは、別の容器内に、本体部２を差し込んで一体化させて用いる場合に、表面側に移動した水の下方への流下を防いで、表面側に移動した水を良好に蒸発させることができるように形成させたものである。
【００１９】
なお、図４に示すような花器台５を、古紙またはパルプでパルプモウルド製法で製造しておくことができ、この図４に示す花器台５は、上面に開口した挿入筒部７が下方へ向かって本体部６内に一体形成されており、本体部６の底側は拡径した底ベース部８となっている。
【００２０】
このような花器台５の挿入筒部７内に、前述した花器１の本体部２を差し込んで、図５に示すように、花器台５と花器１を一体化させて用いることもでき、図６のように、花器１内に水を入れて上面側から切り花Ｆを差し込んで、安定した状態で切り花Ｆ等を飾ることができ、花器１の内部に入れた水が表面側から蒸発して、気化熱により良好に内部の水の温度を低く保つことができ、切り花Ｆの寿命を延ばして、長時間切り花Ｆを楽しむことができるものとなる。
【００２１】
なお、図７には、花器１の変形例を示す。
この図７の花器１は、本体部２の背側に、壁等に面接触できる平たい背面部２ａが形成されており、この背面部２ａに、フック等に掛止可能な掛止孔２ｂを形成したものである。
このような花器１においても、内部に水を入れて切り花等を差し込み、壁等に掛止して用いることができるものである。
【００２２】
また、図８に示す花器１は、サッカーボール形状に形成したものであり、本体部２の上面側には差込孔２ｃが形成されている。
また、図９には、別例の花器台と花器の縦断面分解構成図を示すが、花器１には底孔３ａが形成されており、花器台５内に、花器１を差し込んで一体化させて用いることができ、花器台５内に水を溜められるように構成したものである。
その他、花器１は、パルプモウルド製法により様々な形状に形成することができるものであり、また、染料を混入させて、様々な色彩のものを安価に製造することができるものである。
【００２３】
なお、種々の花器１は、例えば図１０に概略図で示すような装置を用い、パルプモウルド製法により製造することができるものである。
先ず、新聞紙，ダンボール等の古紙とか、コピー，ファックス用紙等の使用済みの古紙を、パルパーで繊維をほぐし溶解する。この際に、前述した動物性，植物性等の異繊維を混入し、さらにはサイズ剤を混入し、さらには抗菌剤，消臭剤を混入して、水分に対し１％程度の濃度のモウルド原液を作り、このモウルド原液１１を図１０の成形槽１０内に充填させる。
【００２４】
この成形槽１０内に、表面に４０メッシュ程度の金網を装着させた成形型１２を浸漬し、成形槽１０内のモウルド原液１１を真空で吸引することにより、成形型１２の表面にモ
ウルド原液１１を吸着させることができ、この成形型１２をモウルド原液１１中から引き上げ、成形型１２の表面にモウルド中間体１３を積層吸着させる。
なお、図１０の成形型１２は、垂直方向に１８０°回転させることができて、成形槽１０内への浸漬・引き上げを行えるように構成されたものである。
【００２５】
次に、このモウルド中間体１３を、成形型１２に対応した取出型１４により吸引して取り外す。この際、モウルド中間体１３の濃度は、水分７０％に対し３０％程度となっており、これを乾燥機１５内にコンベアで送り込んで、２００℃程度で１５分〜３０分程度乾燥させて、花器１を製造する。
【図面の簡単な説明】
【００２６】
【図１】花器の一部破断斜視構成図である。
【図２】花器の別例の斜視構成図である。
【図３】さらに異なる花器の斜視構成図である。
【図４】花器台の斜視構成図である。
【図５】花器台に花器を一体化させた状態の斜視構成図である。
【図６】切り花を挿して使用している状態の斜視構成図である。
【図７】壁掛け式の花器の斜視構成図である。
【図８】サッカーボール形状の花器の斜視構成図である。
【図９】別例の花器台と花器の縦断面分解構成図である。
【図１０】パイプモウルド製法による製造装置の概略構成図である。
【符号の説明】
【００２７】
１  花器
２  本体部
２ａ  背面部
２ｂ  掛止孔
２Ｍ  縦溝
３  底部
３ａ  底孔
４  上面鍔部
４ａ  溝部
５  花器台
６  本体部
７  挿入筒部
８  底ベース部
１０  成形槽
１１  モウルド原液
１２  成形型
１３  モウルド中間体
１４  取出型
１５  乾燥機
【図１】
0004698157.tif 000002
【図２】
0004698157.tif 000003
【図３】
0004698157.tif 000004
【図４】
0004698157.tif 000005
【図５】
0004698157.tif 000006
【図６】
0004698157.tif 000007
【図７】
0004698157.tif 000008
【図８】
0004698157.tif 000009
【図９】
0004698157.tif 000010
【図１０】
0004698157.tif 000011